(57)【要約】      （修正有）【課題】リモコンなどの厚さの異なる細長い直方体状の収納物をがたつくことなく、常に一定の方向に立てた状態で保持できる小物入れを提供する。【解決手段】収納物の下端を支持する底板１０と、収納物前面下方に当接する部材からなる前面支持部３０と、収納物の背面に当接する弾性を有する細長い板体又は棒体であって、上端から下端に向かって前方に傾斜するよう上端側が固定される押圧部５０とを設ける。【選択図】図１
0003186105.tif 000002
【実用新案登録請求の範囲】
【請求項１】
細長い略直方体状の収納物を保持する小物入れであって、
前記収納物の下端を支持する底板と、
前記収納物前面下方に当接する部材からなる前面支持部と、
前記収納物の背面に当接する弾性からなる細長い板体又は棒体であって、上端から下端に向かって前方に傾斜するよう上端側が固定される押圧部と
を有する小物入れ。
【請求項２】
前記底板に立てて固定される前記収納物の側面に対向する側面板と、
前記側面板の上部から前記収納物の上部前縁に沿うように延びる板体又は棒体からなる上部固定部とを有し、
前記押圧部上端は当該上部固定部に固定されるものである
請求項１に記載の小物入れ。
【請求項３】
前記押圧部は、前記収納物の前縁に沿った方向に２以上並んで設けられるものである請求項１又は２に記載の小物入れ。
【考案の詳細な説明】
【技術分野】
【０００１】
本考案は主としてテレビやエアコンのリモコンや、携帯電話などの細長い略直方体状の物を収納する小物入れに関する。
【背景技術】
【０００２】
近年、テレビ、録画再生機器、エアコンなどリビングには多くの電化製品が設置され、これらを操作するためのリモコンを多数保管する必要がある。このため、これらのリモコンを収納する小物入れが利用されるが、これらの多くは上方の開放した箱体で、鉛筆立てのように複数のリモコンを立てて収納するように形成されている。しかし、このように数多くのリモコンを鉛筆立てのように収納すると、リモコンを使用する際に小物入れから抜き出して操作する必要があり、また、リモコンを探し出す手間もかかる。
【０００３】
これに対して下記特許文献には、扁平な受け皿と背面板からなり、リモコンを立て保持する小物入れが示されている。このような構造であれば、特許文献[図４]に示すように横に並べて配置すれば、一見してどこにどのリモコンがあるかがわかり、また、前面の板体を低くすれば、リモコンを小物入れから取り出すことなく操作することが可能である。
【先行技術文献】
【特許文献】
【０００４】
【特許文献１】実開平2-142580号公報
【考案の概要】
【考案が解決しようとする課題】
【０００５】
ところで、上記特許文献に記載の考案はリモコンを受け皿に立てて保持する構造を有するが、リモコンは厚さが様々であるので、汎用性を持たせるためには大きめの幅を確保する必要がある。そうすると、薄いリモコンを入れたときに、前方や後方にランダムに傾いたり、ちょっと揺れでがたついたりする問題が生じる。
本考案は、以上のような問題に鑑みて、リモコンなどの細長い直方体状の収納物を立てた状態で保持できる小物入れにおいて、厚さの異なる収納物をがたつくことなく、常に一定の方向に向いた状態で保持できるようにすることを課題とする。
【課題を解決するための手段】
【０００６】
上記課題を解決するために、本考案は次のような構成を有する。
請求項１に記載の考案は、細長い略直方体状の収納物を保持する小物入れであって、  前記収納物の下端を支持する底板と、前記収納物前面下方に当接する部材からなる前面支持部と、前記収納物の背面に当接する弾性からなる細長い板体又は棒体であって、上端から下端に向かって前方に傾斜するよう上端側が固定される押圧部とを有する小物入れである。
請求項２に記載の考案は、前記小物入れにおいて、前記底板に立てて固定される前記収納物の側面に対向する側面板と、前記側面板の上部から前記収納物の上部前縁に沿うように延びる板体又は棒体からなる上部固定部とを有し、前記押圧部上端を当該上部固定部に固定したものである。
請求項３に記載の考案は、前記小物入れいおいて、前記押圧部は、前記収納物の前縁に沿った方向に２以上並んで設けられるものである。
【考案の効果】
【０００７】
以上のような構成により、本考案は次のような効果を奏する。
請求項１に記載の考案は、押圧部は下端側が前方に向かうように傾斜しているので収納物を入れると、押圧部は下端側が収納物に押されて後方に撓むとともに、押圧部の弾性力によって収納物は背面側が前方に押される結果、収納物は押圧部と前面支持部との間に狭持される。これにより、狭持されたリモコンは一定の方向を向き、がたつくこともない。また、押圧部は弾性変形することで収納物の厚さに追従できるので、種々の厚さのリモコンに適応することができる。
請求項２に記載の考案は、側面板を有することで収納物が側方から脱落することを防止することができるとともに、側面板を介して押圧部を底板に間接的に固定することができる。なお、上部固定部は押圧部と一体に形成される場合が含まれる。
請求項３に記載の考案は、押圧部ごとに収納物を狭持固定することで、収納物を前縁に沿った方向に並べて配置することができ、各収納物の向きも一定方向に揃えることができる。
【図面の簡単な説明】
【０００８】
【図１】実施形態に係る小物入れの斜視図である。
【図２】（ａ）は、実施形態に係る小物入れの正面図であり、（ｂ）は（ａ）のA-A線断面図である。
【図３】（ａ）（ｂ）ともに実施形態に係る小物入れの使用状態を示す縦断面図である。
【考案を実施するための形態】
【０００９】
以下、本考案の実施の形態について、図面を参照しながら説明する。
図１に本実施形態に係る小物入れＸの斜視図を示し、図２（ａ）に小物入れＸの正面図を示し、図２（ｂ）に図２（ａ）のＡ−Ａ線断面図を示す。小物入れＸは、底面板１０、側面板２０、前面支持部３０、上部固定部４０、押圧部５０から構成される。
底面板１０は長方形状の細長い板体であり、リモコン等の細長い収納物の下端部を支持するものである。底面板１０は平均的なリモコンを立てた状態で、４つ並べることができる程度の長さを有する。
側面板２０は、底面板１０の両端に立てて固定される２枚の細長い板体により構成される。側面板２０は平均的なリモコンよりも十分に長い長さ有する。
前面支持部３０は、両側面板２０間に跨るように、前記底板に平行に固定される角棒により形成される。前面支持部３０は収納物の前面下方に当接するように、側面板２０の前方下方位置に設けられる。
【００１０】
上部固定部４０は、両側面板２０間に跨るように、前記底板１０に平行に固定される角棒により形成される。上部固定部４０は、側面板２０の上端近傍に後縁が接するように設けられる。
押圧部５０は弾性を有する薄く細長い板体により形成され、下端側で前記前面支持部３０に当接する傾斜をもって、前記上部固定部４０に上端が固定される。押圧部５０は等間隔に４枚設けられる。押圧部５０の上部固定部４０への固定は、上部固定部４０の下面に前記傾斜の方向に合致する方向に形成された前記押圧部５０上端が嵌る溝を４つ形成しておいて、これに押圧部５０を形成する板体の上端を嵌めることで行われる。
【００１１】
次に、以上のような構成を有する小物入れの使用方法及び作用効果について説明する。小物入れＸはテーブルに置かれたり、壁面に固定されたりしているものとする。使用者は、リモコンや携帯電話などの細長い長方形状の収納物を、操作ボタンが前面に来るようにして、一つの押圧部５０に背面を当接させながら、下端から底板１０に向かって押し入れる。この際、押圧部５０は前面支持部３０に当接しているので隙間がないが、押圧部５０は弾性を有するので、収納物を押し付けることで後方に撓み、隙間が形成されるのでこの隙間から挿入することができる。収納物の下端が底板１０に達したら収納は完了する。図３（ａ）に収納物としてリモコンＲを収納した状態を表す小物入れＸの縦断面図を示す。この状態で押圧部５０は弾性によって収納物の背面を前方側に押す一方で、収納物は前方で前面支持部３０により移動が規制されているので、収納物は押圧部５０と前面支持部３０との間に狭持固定されることとなる。また、収納物の背面は押圧部５０の下端から一定範囲の前面に接触することでやや後傾した状態の一定の角度を保つ。
【００１２】
また、押圧部５０は弾性を有するので種々の厚さの収納物に適応できる。例えば、図３（ｂ）に薄い収納物としてスマートフォンＦを収納した状態を示す。スマートフォンＦのように薄い収納物の場合でも、押圧部５０の撓みが図３（ａ）のリモコンＲに比べて小さくなり、しっかりと狭持固定することができる。
このように本実施形態に係る小物入れは、種々の厚さのリモコンや携帯電話等の細長い直方体状の収納物を狭持して固定するので、収納物ががたつくことがなく、また、一定方向に揃った状態で保持することができる。また、前面支持部３０が低い位置にあるので、リモコン等の操作ボタンが前面に表出しており収納したままこれらを操作できるが、この際、リモコン等が狭持固定されているので操作がしやすい。
【００１３】
なお、小物入れＸを構成する材質は特に限定されるものではなく、木材、プラスチック、金属、これらの組み合わせ等適宜選択することができる。
また、上記実施形態では、前面支持部を側面板に固定しているが、特許文献１に記載の考案のように、底板から立ち上がるように設けてもよい。同様に押圧部も底板から背面側に部材を垂直に設けて、当該部材の先端位置に固定するようにしてもよい。
【符号の説明】
【００１４】
Ｘ  小物入れ
１０  押圧部
２０  側面板
３０  前面支持部
４０  上部固定部
５０  押圧部
【図１】
0003186105.tif 000003
【図２】
0003186105.tif 000004
【図３】
0003186105.tif 000005